(57)【要約】      （修正有）【課題】風力ファン手段の、風を収集して発電に利用する効率を向上させた風力発電装置を提供する。【解決手段】ベース体と、ベース体に回転可能に取り付けられている直立軸と、直立軸に延在しながら外へ所定カーブに沿って放射状に突出し、且つ、カーブ内面が風当たり面となっている複数のブレードとを有する風力ファン手段と、直立軸の周りに等間隔に立ち上がりながら、外へ所定のカーブに沿って放射状に延伸している複数の風案内板を有する風案内ユニットと、ベース体内蔵され、且つ、風力ファン手段と連動できるように連結されている発電ユニットと、を備えている。いずれのブレードの風当たり面にも、縦板が直立軸と平行になるように延在している。【選択図】図５
0003160457.tif 000002
【実用新案登録請求の範囲】
【請求項１】
内部空間を有するベース体と、
前記ベース体の上面から突出し、且つ、回転可能に取り付けられている直立軸と、前記直立軸に延在しながら外へ所定カーブに沿って放射状に突出し、且つ、その前記カーブ内面が風当たり面となっている複数のブレードとを有する風力ファン手段と、
前記ベース体の、前記直立軸の周りに等間隔に立ち上がりながら、外へ所定のカーブに沿って放射状に延伸し、且つ、外の風を前記複数のブレードの風当たり面へ導入することができるようになっている複数の風案内板を有する風案内ユニットと、
前記ベース体の内部空間に内蔵され、且つ、前記風力ファン手段の直立軸と連動できるように設置されている発電ユニットと、を備えていて、
前記風力ファン手段が前記複数のブレードにより前記複数の風案内板に案内されてきた風を受けて回転すると、前記発電ユニットが駆動されて発電することができる風力発電装置において、
前記いずれのブレードの風当たり面にも、縦板が前記直立軸と平行になるように延在していることを特徴とする風力発電装置。
【請求項２】
前記いずれの風案内板の、前記直立軸から離れた外側端部にも、伸縮板体が、該外側端部の延長線に沿って出入りすることができるように内蔵されており、
また、前記風案内ユニットには、更に、駆動手段と制御手段を備えており、
前記駆動手段は、前記伸縮板体を駆動して前記風案内板の外側端部に出入りさせることができるように構成されており、
前記制御手段は、風案内板の風に対する角度が所定未満である場合のみ、前記駆動手段の駆動により前記伸縮板体を前記風案内板の外側端部から出すことができるように構成されていることを特徴とする、請求項１に記載の風力発電装置。
【請求項３】
前記いずれのブレードにおける風当たり面にも、前記縦板が複数あり、該複数の縦板が共に複数の横板に区切られていることを特徴とする、請求項１または請求項２に記載の風力発電装置。
【請求項４】
前記いずれの風案内板において、前記直立軸に近い内側端部と、前記直立軸から離れた外側端部は、１３５〜１６５度の範囲内におけるいずれかの角度を挟むようになっていることを特徴とする、請求項２に記載の風力発電装置。
【請求項５】
前記いずれの風案内板の前記直立軸に近い内側端部も、前記直立軸に近付くにつれて段段と先細りになっていることを特徴とする、請求項２に記載の風力発電装置。
【請求項６】
前記いずれの風案内板の前記直立軸に近い内側端部も、そのカーブ外面が円弧面となり、カーブ内面が平面となっていることを特徴とする、請求項２に記載の風力発電装置。
【請求項７】
前記いずれの風案内板の前記直立軸に近い内側端部も、そのカーブ外面とカーブ内面とが円弧面となっていることを特徴とする、請求項２に記載の風力発電装置。
【請求項８】
前記風案内ユニットは、上方から前記いずれの風案内板をも覆うように配置構成されている上蓋体を更に備えていることを特徴とする、請求項２に記載の風力発電装置。
【請求項９】
前記直立軸は、上下両端の円形端板と、前記上下両端の端板との間に掛け渡され、前記上下両端の端板の内面における周縁近くに周方向において等間隔に排列し、円形柵となっている複数の縦棒と、前記上下両端の端板との間に前記複数の縦棒を互いに連結するように形成されている複数の連結環とから、全体が前記発電ユニットと連動できるようになっており、
また、前記いずれのブレードも、前記直立軸における前記複数の縦棒のいずれかに延在しながら外へ突出していることを特徴とする、請求項１または請求項２に記載の風力発電装置。
【請求項１０】
前記両端板の間に、更に、芯棒が、前記両端板の中心を連結するように延伸しており、
前記芯棒には、整流ブレードが、それに対して回転可能に軸支されていて所定方向から前記円形柵に流れ込んだ風が当たって、風を進行方向へ導いて前記円形柵から流出させる位置まで回転することができることを特徴とする、請求項９に記載の風力発電装置。
【請求項１１】
前記整流ブレードは、
前記芯棒に回転可能に軸支されている被軸支部と、
前記被軸支部から突出している上、所定方向から前記円形柵に流れ込む風が当たって、風を進行方向へ導いて前記円形柵から流出させる位置まで回転することができるように構成されている主翼と、
前記被軸支部から前記主翼と所定角度を挟むように突出していて、前記円形柵に流れ込んだ風が前記主翼の延伸方向に沿って入ってくることにより前記主翼が風を有効に受けられない場合、流れ込む風を受けて回動し、前記主翼が風を有効に受けることができるようにさせ得る副翼と、から一体になっていることを特徴とする、請求項１０に記載の風力発電装置。
【請求項１２】
いずれの前記風案内板同士間にも連結リブが備わっていることを特徴とする、請求項２に記載の風力発電装置。
【請求項１３】
前記風力ファン手段における複数のブレードは、前記直立軸を回るようになっているブレード群が、複数、前記直立軸に沿って配置されており、且つ、前記複数のブレード群におけるいずれの上下互いに隣り合っている２グループのブレード群も、それらのブレードが上下方向において互いに重ならないように配置されていることを特徴とする、請求項２に記載の風力発電装置。
【請求項１４】
前記ベース体には、その内径が前記直立軸の外径より大きい管状部が、前記直立軸と同軸になるように形成されており、
前記風案内ユニットは、風案内ハウジングを更に備えており、
前記風案内ハウジングは、前記管状部に軸支されている底板と、
前記底板の周縁から立ち上がり、前記複数の風案内板を囲っており、且つ、その一側面及び該一側面の反対面にそれぞれ風の出入り口が開けられている周壁と、
上から前記周壁の上開口を覆うように前記周壁に固定されている天板と、からなっていることを特徴とする、請求項１または請求項２に記載の風力発電装置。
【請求項１５】
前記風の入り口の左右両側縁に、一対の案内板が、前記風案内ハウジングの内方に突出する上、その間に風案内通路がなるように設置されており、
また、前記風案内通路は、幅が外から内へと段段小さくなっていることを特徴とする、請求項１４に記載の風力発電装置。
【請求項１６】
前記風案内ハウジングは、横断面楕円形となっており、
前記風の出入り口は、前記楕円形における長軸の両端近くに開けられている上、前記入り口の開口面積が前記出口の開口面積より大きいことを特徴とする、請求項１５に記載の風力発電装置。
【考案の詳細な説明】
【技術分野】
【０００１】
本考案は、自然の風力を利用して発電機を駆動する風力発電装置に関する。
【背景技術】
【０００２】
従来の風力発電装置は、図１に示すように、ポール１１と、複数のブレード１２１を有し、ポール１１の頂部近くに回転可能に取り付けられているロータ１２と、ロータ１２に連動して駆動される発電機１３とを備えているものであり、特に、ロータ１２が風向きに向かって、複数のブレード１２１により風を受けてロータ１２を回転させ、当該回転力により発電機１３を駆動し、発電することができるようになっているものである。
【０００３】
しかしながら、このような従来の風力発電装置は、ブレード１２１が周りへ長く伸びているため、設置する敷地を広くしなければならないばかりでなく、大型で重く、風を受ける方向に合わせて回転変位するのが遅いので、風力を発電に有効に利用することができない、という欠点がある。
【０００４】
このような従来の風力発電装置の欠点を克服するため、本願考案者は、内部空間を有するベース体２１と、ベース体２１の上面から突出し、且つ、回転可能に取り付けられている直立軸２３２と、直立軸２３２に延在しながら外へ所定カーブに沿って放射状に小さく突出し、且つ、そのカーブ内面が風当たり面２３０となっている複数のブレード２３１とを有する風力ファン手段２３と、ベース体２１の上面における、直立軸２３２の周りに等間隔に立ち上がりながら、外へ所定のカーブに沿って放射状に延伸し、且つ、外の風を複数のブレード２３１の風当たり面２３０へ導入することができるようになっている複数の風案内板２４１を有する風案内ユニット２４と、ベース体の内部空間に内蔵され、且つ、風力ファン手段２３の直立軸２３２と連動できるように設置されている発電ユニット２２と、を備えており、風力ファン手段２３が、複数のブレード２３１により複数の風案内板２４１に案内されてきた風を受けて回転すると、発電ユニット２２が駆動されて発電することができる風力発電装置を開発し、登録した（図２〜４及び特許文献１参照）。
【０００５】
この風力発電装置は、従来の、周りへ長く伸びている複数のブレードに代わって上下方向に延伸しながら外へ放射状に小さく突出している複数のブレードを使用しているので、設置する敷地が狭く、従来より遥かに小型で軽く、いずれの方向からの風も受けることができるので、風の吹く方向に合わせて回転変位する必要がなく、風力を発電に有効に利用することもできる。
【０００６】
なお、この風力発電装置は、更に、複数の風案内板２４１によって外の風を複数のブレード２３１へ導入するので、風の収集効率が向上し、サイズを比較的小さくすることができる。
【先行技術文献】
【特許文献】
【０００７】
【特許文献１】台湾実用新案登録第Ｍ３３８２７８号公報
【考案の概要】
【考案が解決しようとする課題】
【０００８】
本考案は、考案者が自身の前記先行技術に基づいて発展した新しい技術であって、その風力ファン手段の、風を収集して発電に利用する効率を向上させた風力発電装置の提供を目的とする。
【課題を解決するための手段】
【０００９】
本願考案者は、風力ファン手段の、風を収集して発電に利用する効率を向上させるために、研究に研究を重ねた結果、風力ファン手段における複数のブレードの、それぞれの風当たり面に、風を簡単に逃がさないような工夫をすると、風力を風力ファン手段における直立軸の回転にもっと効率良く利用でき、発電に利用する効率を向上させ得ることを発見し、それを利用して下記考案を完成した。
【００１０】
即ち、本考案は、内部空間を有するベース体と、前記ベース体に回転可能に取り付けられている直立軸と、前記直立軸に延在しながら外へ所定カーブに沿って放射状に突出し、且つ、その前記カーブ内面が風当たり面となっている複数のブレードとを有する風力ファン手段と、前記ベース体の、前記直立軸の周りに等間隔に立ち上がりながら、外へ所定のカーブに沿って放射状に延伸し、且つ、外の風を前記複数のブレードの風当たり面へ導入することができるようになっている複数の風案内板を有する風案内ユニットと、前記ベース体の内部空間に内蔵され、且つ、前記風力ファン手段の直立軸と連動できるように連結されている発電ユニットと、を備えていて、前記風力ファン手段が前記複数の風案内板に案内されてきた風を受けて回転すると、前記発電ユニットが駆動されて発電することができる風力発電装置において、前記いずれのブレードの風当たり面にも、縦板が前記直立軸と平行になるように延在していることを特徴とする風力発電装置を提供する。
【００１１】
本考案の実施形態として、前記いずれの風案内板の、前記直立軸から離れた外側端部にも、伸縮板体が、該外側端部の延長線に沿って出入りすることができるように内蔵されており、また、前記風案内ユニットには、更に、駆動手段と制御手段を備えており、前記駆動手段は、前記伸縮板体を駆動して前記直立軸の外側端部に出入りさせることができるように構成されており、前記制御手段は、風の風案内板に対する角度が所定未満である場合のみ、前記駆動手段の駆動により前記伸縮板体を前記風案内板の外側端部から出すことができるように構成されているものが挙げられる。
【考案の効果】
【００１２】
前記構成による本考案の風力発電装置は、そのブレードの風当たり面に、縦板が前記直立軸と平行になるように延在しているので、ブレードの風当たり面に当たってから内外方向に沿って離れようとする風を、一時阻んで風当たり面へ向かわせ、その残りの風力を再度風当たり面に当てて、前記直立軸の回転による発電ユニットの発電効率を向上させることができる。
【００１３】
また、前記構成による本考案の風力発電装置は、そのいずれの風案内板の外側端部にも、風の風案内板に対する角度が所定未満である場合のみ出る伸縮板体が設置されており、即ち、風に向かえている方が出ていて風を有効に受け、風に当たっていない方または風から偏ったりしている方が収納されて回転抵抗を減らすことにより、直立軸の回転による発電ユニットの発電効率を向上させることができる。
【図面の簡単な説明】
【００１４】
【図１】従来例１の風力発電装置の斜視図である。
【図２】従来例２の風力発電装置の組み立てを説明する分解図である。
【図３】図２の風力発電装置が組み立てられた後の縦断面図である。
【図４】図３の風力発電装置の上面図である。
【図５】本考案の実施例１の風力発電装置の組み立てを説明する分解図である。
【図６】実施例１の風力発電装置の風案内板における伸縮板体の出入りを説明する縦断面図である。
【図７】実施例１の風力発電装置の上面図である。
【図８】実施例１の制御手段と、各風案内板における駆動手段と伸縮板体とのブロック図である。
【図９】図７の風力発電装置の、各風案内板における伸縮板体の、所定方向から吹く風に対する動きを説明する上面図である。
【図１０】図９の風力発電装置の、各風案内板における伸縮板体の、前記所定方向の反対方向から吹く風に対する動きを説明する上面図である。
【図１１】本考案の実施例２の風力発電装置におけるブレードの風当たり面の構造を示す部分拡大斜視図である。
【図１２】本考案の実施例３の風力発電装置の、上蓋体が取り付けられる前の斜視図である。
【図１３】本考案の実施例４の風力発電装置の、直立軸の構造を示す部分拡大斜視図である。
【図１４】本考案の実施例５の風力発電装置の、直立軸の構造を示す部分拡大斜視図である。
【図１５】図１４の上面図である。
【図１６】本考案の実施例６の風力発電装置の組み立てを説明する分解図である。
【図１７】図１６の風力発電装置が組み立てられた後の上面図である。
【図１８】図１７の縦断面図である。
【考案を実施するための形態】
【００１５】
以下、図５〜１８を参照しながら、本考案の実施例を説明する。
なお、以下の説明において、略同一の機能および構成を有する構成要素については、同一符号を付し、重複説明は必要な場合にのみ行う。
【実施例１】
【００１６】
図５に示すように、本実施例の風力発電装置は、ベース体３と、発電ユニット４と、風案内ユニット５と、風力ファン手段６と、を備えている。
【００１７】
図５及び図６に示すように、ベース体３は、内部空間３０を有し、且つ、上面の中央近くに、管状部３１が、その中孔３１０で、内部空間３０と外部とを連通させるように立ち上がっている。また、管状部３１の中孔３１０には、ベアリング３２が内嵌されている。
【００１８】
図示のように、風力ファン手段６は、その下端部６１２がベアリング３２を挿通してベース体３の管状部３１に対し回転可能に嵌合され、上端部６１１が下記ベアリング５３を挿通して上蓋体５２の円柱形窪み５２１に対し回転可能に嵌合されている直立軸６１と、直立軸６１に延在しながら外へ所定カーブに沿って放射状に突出し、且つ、そのカーブ内面が風当たり面６２０となっている複数のブレード６２とを有する。
【００１９】
図５〜７に示すように、風案内ユニット５は、ベース体３の上面３３における、直立軸６１の周りに等間隔に立ち上がっている複数の風案内板５１と、上方からいずれの風案内板５１をも覆う上、複数の風案内板５１に支えられるように配置固定されている上蓋体５２とからなっている。
【００２０】
上蓋体５２の下面５２０には、図６に示すように、円柱形窪み５２１が形成されており、該円柱形窪み５２１の中にベアリング５３が内嵌されている。上記のように、直立軸６１は、その上下両端部６１１、６１２が、それぞれベアリング５３及びベアリング３２に嵌合されていることにより、ベース体３と上蓋体５２との間で回転可能になっている。
【００２１】
また、複数の風案内板５１は、いずれも、図７に示すように、直立軸６１から離れた外側端部５１１と、直立軸６１に近い内側端部５１２とを有する上、内側端部５１２は、いずれかの風当たり面６２０近くから外へ所定のカーブに沿って放射状に延伸し、外側端部５１１は、平らに近い緩和なカーブで内側端部５１２の延伸終点から更に延伸している。このような構造により、外の風は、どの方向から来ても、この複数の風案内板５１を介して前記複数のブレード６２の風当たり面６２０へ導入されることができる。
【００２２】
そして、図５及び図６に示すように、発電ユニット４は、ベース体３の内部空間３０に内蔵され、且つ、風力ファン手段６の直立軸６１の下端部６１２と連動できるように設置されている。
【００２３】
上記構成により、本実施例の風力発電装置は、従来技術とほぼ同じように、風案内ユニット５の、装置外部の風を受ける面における複数の風案内板５１の外側端部５１１で風を収集してから、内側端部５１２のカーブを利用して風を風力ファン手段６のそれらに対応する複数のブレード６２の風当たり面６２０に案内し、その風力で複数のブレード６２を押動し、風力ファン手段６全体を回転させ、発電ユニットを駆動して発電させることができる。
【００２４】
図面をもっと詳しくみると、本実施例の風力発電装置は、前記構成に加えて、いずれのブレード６２の風当たり面６２０にも、複数の縦板６２１が、直立軸６１と平行になるように延在している。
【００２５】
複数の縦板６２１は、風案内板５１に導かれて、風力ファン手段６の風を向かえている面にある複数のブレード６２の風当たり面６２０に当たった風が、その風力で該複数のブレード６２を押動した後、上方、下方、内方には移動することができないため、風力ファン手段６の風力による回転に伴い風当たり面６２０のカーブに沿って外方へ移動し、風力ファン手段６の風向に向かっていない面から流出することができるが、この流出しようとする風は、まだ、動力を多く持っているので、流出する前に、これらの縦板６２１でその流出を一時阻んで風当たり面６２０へ向かわせることができ、再度風当たり面６２０に当てて、直立軸６１の回転による発電ユニット４の発電効率を向上させ得る（図７参照）。
【００２６】
そして、図５〜７を詳しく見ると、本実施例の風力発電装置におけるいずれの風案内板５１の外側端部５１１にも、伸縮板体５１３が、該外側端部５１１の延長線に沿って出入りすることができるように内蔵されている。また、図８も合わせて見ると、風案内ユニット５は、複数の駆動手段５１４と、複数の駆動手段５１４をそれぞれ制御できる制御手段５０とを備えている。図６及び図７に示すように、いずれの風案内板５１の内部５１０にも、駆動手段５１４としての空気圧シリンダーが上下二つ設けられている。また、いずれの伸縮板体５１３も、その上下両端５１３ａ，５１３ｂに、それぞれ、上下二つの空気圧シリンダーにおけるピストン棒５１４ａ、５１４ｂと連結されている上、風向きに向かっている風案内板５１は、制御手段５０によって上下二つの空気圧シリンダーが共に起動され、それらのピストン棒５１４ａ、５１４ｂが伸縮板体５１３の上下両端５１３ａ，５１３ｂを押して、伸縮板体５１３を風案内板５１の外側端部５１１から出すことができ、また、それ以外の風案内板５１では、上下二つの空気圧シリンダーが再び起動され、それらのピストン棒５１４ａ、５１４ｂが伸縮板体５１３の上下両端５１３ａ，５１３ｂを引っ張って、伸縮板体５１３を風案内板５１の外側端部５１１に収納させることができるようになっている。なお、駆動手段５１４としては、油圧シリンダーや歯車組なども挙げられる。
【００２７】
図８〜１０に示すように、本実施例における複数の駆動手段５１４とは、駆動手段５１４１〜５１４８であり、それぞれに対応している伸縮板体５１３１〜５１３８をそれぞれ駆動することができるように構成されており、制御手段５０は、進入する風に対する風案内板５１の角度が所定（本実施例では９０°）未満である場合、即ち、風案内板５１が風向きに向かっている場合のみ、駆動手段の駆動により伸縮板体を風案内板５１の外側端部５１１から出し、そのほかの場合（本実施例では９０°を超えている場合）には、風案内板５１の外側端部５１１に収納させることができるように構成されている。
【００２８】
即ち、本実施例の風力発電装置は、その風案内板５１が風向きに向かっている場合のみ、伸縮板体５１３を出して風を有効に受け、風が当たらなかったりまたは風から偏ったりしている場合、伸縮板体５１３を収納することで風の流出に対する抵抗を減らし、風の進出効率ないし風力の風力ファン手段６に対する押動効率を向上させることができる。なお、図７に示すように、この実施例におけるいずれの風案内板５１の内側端部５１２も、そのカーブ外面５１２１とカーブ内面５１２２とが円弧面となっているが、カーブ内面５１２２が平面になっても良い。また、いずれの風案内板における内側端部５１２と外側端部５１１は、１３５〜１６５度の範囲内におけるいずれかの角度を挟むことが好ましい。
【実施例２】
【００２９】
図１１に示すように、本実施例２の風力発電装置は、その構成が実施例１の風力発電装置の構成と似ているため、以下はその相違点のみを説明する。
【００３０】
本実施例２のそのいずれのブレード６２における風当たり面６２０にも、実施例１と同様に、複数の縦板６２１が上下延伸するようになっているが、これらの複数の縦板６２１は、共に延伸の途中で複数の横板６２２に区切られている。
【００３１】
この複数の横板６２２は、ブレード６２の風当たり面６２０に当たった風の上下への移動を阻み、風力をもっと有効に利用しようとするものである。
【実施例３】
【００３２】
図１２に示すように、本実施例３の風力発電装置は、その構成が実施例１の風力発電装置の構成と似ているため、以下はその相違点のみを説明する。
【００３３】
本実施例３のその風力ファン手段６における複数のブレード６２は、複数のブレード群６２ａ、６２ｂ、６２ｃからなっており、この複数のブレード群６２ａ、６２ｂ、６２ｃは、いずれも直立軸６１を回るようになっており、直立軸６１に沿って上方から順番に配置されている。
【００３４】
図１２に示すように、ブレード群６２ａ、６２ｂ、６２ｃそれぞれのブレードは、上及び/または下のブレード群のブレード同士が上下方向において互いに重ならないように配置されている。詳細には、一番高いブレード群６２ａにおけるブレードが、０°、９０°、１８０°、２７０°にあれば、中間のブレード群６２ｂにおけるブレードは、３０°、１２０°、２１０°、３００°にあり、一番低いブレード群６２ｃにおけるブレードは、６０°、１５０°、２４０°、３３０°にある。それにより、本実施例３の風力発電装置における風力ファン手段６は、ブレード数を増やすことなく、ブレードによる風受け効率及び安定性を向上させることができる。
【００３５】
また、図示のように、いずれの風案内板（５１）同士間にも、複数の、風案内板５１を丈夫にさせるための連結リブ５４が設置されている。
【実施例４】
【００３６】
図１３に示すように、本実施例４の風力発電装置は、その構成が実施例１の風力発電装置の構成と似ているため、以下はその相違点のみを説明する。
【００３７】
本実施例４において、その風力ファン手段６における直立軸６１は、上下両端の円形端板６１４、６１５と、上下両端の端板６１４、６１５との間に掛け渡され、上下両端の端板６１４、６１５の内面６１４０、６１５０における周縁近くに周方向において等間隔に排列し、円形柵となっている複数の縦棒６１６と、上下両端の端板６１４、６１５との間に上下排列されている上、それぞれ複数の縦棒６１６を互いに連結している複数の連結環６１７とから構成されており、全体が発電ユニットと連動できるようになっている。
【００３８】
また、いずれのブレード６２も、直立軸６１における複数の縦棒６１６のいずれかに延在しながら外へ突出している。
【００３９】
上記構成による本実施例は、直立軸６１が円形柵となっているので、実施例１のより軽くなり、重量による回転の妨害が少なくなり、また、風が内側へ流れて直立軸６１の円形柵を貫通して流出することができるので、風の進出が容易になり、風の流れる方向に沿って直立軸６１にかかる湾曲力も小さくなり、発電効率を増やす上、強風による損害をも防止することができる。
【実施例５】
【００４０】
図１４及び図１５に示すように、本実施例５の風力発電装置は、その構成が実施例４の風力発電装置の構成と似ているため、以下はその相違点のみを説明する。
【００４１】
本実施例５の風力ファン手段６における直立軸６１には、その上下両端板６１４、６１５の間に、更に、芯棒６３が、両端板６１４、６１５の中心を連結するように延伸している。
【００４２】
芯棒６３には、整流ブレード６４が、芯棒６３に対して回転可能に軸支されている。このように構成されている整流ブレード６４は、所定方向から円形柵内に流れ込んだ風が当たって、風の進行方向に沿うように回転されることにより、他の方向から円形柵内に流れ込んだ比較的弱い風を該方向へ導いて円形柵から流出させることができるため、円形柵内の風を整えることができ、風の進出をもっと容易にさせることができる。
【００４３】
図面をもっと詳しくみると、整流ブレード６４は、芯棒６３に回転可能に軸支されている被軸支部６４１と、被軸支部６４１から一体的に突出していて前記のように風が当たって回転されることにより風を該方向へ導くことができる主翼６４２とを有し、また、被軸支部６４１から一体的に突出している副翼６４３をも有する。
【００４４】
この副翼６４３は、主翼６４２と所定角度を挟んで配置されているので、円形柵に流れ込む風が主翼６４２の延伸方向に沿って入ってくることにより、主翼６４２が風を有効に受けられない場合、流れ込む風を受けて回動し、主翼６４２が風を有効に受けることができるようにさせ得る。
【実施例６】
【００４５】
図１６〜１８に示すように、本実施例６の風力発電装置は、その構成が実施例１の風力発電装置の構成と似ているため、以下はその相違点のみを説明する。
【００４６】
図１６及び図１８を合わせて見ると、この実施例には、管状部３１は、ベース体３から立ち上がるのではなく、直立軸６１と同軸になるようにベース体３の中央に固定されており、また、その上端部に載置台３１１が横へ延伸して円盤状になっている。複数の風案内板５１は、載置台３１１から立ち上がっている。また、図示のように、管状部３１の外側にベアリング３４が設けられている。そして、風案内ユニット５は、風案内ハウジング５５を更に備えている。
【００４７】
図１６に示すように、風案内ハウジング５５は、管状部３１に軸支されている楕円形底板５５１と、楕円形底板５５１の周縁５５１１から立ち上がり、複数の風案内板５１を囲っている周壁５５２と、上から周壁５５２の上開口５５２０を覆うように周壁５５２に固定されている楕円形天板５６と、からなっている。
【００４８】
図１８に示すように、楕円形底板５５１は、その中央近くに開口し、該開口５５１０でベアリング３４に嵌入され、管状部３１に対して回転可能になっている。
【００４９】
周壁５５２は、図１７に示すように、横断面楕円形となっており、楕円形における長軸の両端近くにそれぞれ風の出口５５２１と入り口５５２２が開けられている。
【００５０】
周壁５５２は、入り口５５２２の開口面積が出口５５２１の開口面積より大きくなるように形成されており、また、入り口５５２２の左右両側縁に、一対の案内板５５２２ａ、５５２２ｂが、風案内ハウジング５５の内方に突出し、その間に、幅が外から内へと段段小さくなっている風案内通路５５０が形成されている。
【００５１】
楕円形天板５６の下面には、図１８に示すように、円柱形窪み５６１が形成されており、該円柱形窪み５６１の中にベアリング５６２が設けられている。直立軸６１は、その上端部６１１が、ベアリング５６２に嵌合し、楕円形天板５６に対して回転可能になっている。
【００５２】
上記構成による本実施例においては、風が所定方向から風案内ハウジング５５に当たると、風案内ハウジング５５全体は、風の入りやすい入り口５５２２が真正面で風に向かうように回転することができるので、風を風案内ユニットの入り口５５２２に臨んでいる面にある複数の風案内板５１まで誘導することができる。また、前記所定方向からずれている風を風案内ハウジング５５によって阻むことができるので、風力ファン手段への気流を常に単一方向に保持することができ、風力ファン手段６の回転をより安定にさせることができる。
【産業上の利用可能性】
【００５３】
上述したように、本考案の風力発電装置は、複数の縦板がブレードの風当たり面に形成されているので、ブレードの風当たり面に当たってから内外方向に沿って離れようとする風を一時阻んで、風当たり面へ向かわせることができ、その残りの風力を再度風当たり面に当てて、直立軸の回転による発電ユニットの発電効率を向上させることができる。
【００５４】
また、本考案の風力発電装置は、その風案内ユニットに制御手段と駆動手段と伸縮板体を備えているので、風向に応じて伸縮板体を出し、風を受ける範囲を拡大することができる。
【００５５】
更に、本考案の風力発電装置は、複数の横板がブレードの風当たり面に形成されているので、ブレードの風当たり面に当たってから上下方向に沿って移動する風を阻み、風当たり面へ向かわせることができ、風力による発電効率を更に向上させることができる。
【符号の説明】
【００５６】
３  ベース体
３０  内部空間
３１  管状部
３１０  管状部の中孔
３１１  載置台
３２  ベアリング
３３  ベース体の上面
３４  ベアリング
４  発電ユニット
５  風案内ユニット
５０  制御手段
５１  風案内板
５１０  風案内板の内部
５１１  外側端部
５１２  内側端部
５１２１  カーブ外面
５１２２  カーブ内面
５１３（５１３１〜５１３８）  複数の伸縮板体
５１３ａ  上端
５１３ｂ  下端
５１４（５１４１〜５１４８）  複数の駆動手段
５１４ａ、５１４ｂ  ピストン棒
５２  上蓋体
５２０  上蓋体の下面
５２１  円柱形窪み
５３  ベアリング
５４  連結リブ
５５  風案内ハウジング
５５０  風案内通路
５５１  楕円形底板
５５１０  開口
５５１１  周縁
５５２  周壁
５５２０  上開口
５５２１  出口
５５２２  入り口
５５２２ａ、５５２２ｂ  案内板
５６  楕円形天板
５６１  円柱形窪み
５６２  ベアリング
６  風力ファン手段
６１  直立軸
６１１  上端部
６１２  下端部
６１４、６１５  円形端板
６１４０、６１５０  内面
６１６  縦棒
６１７  連結環
６２  ブレード
６２０  風当たり面
６２１  縦板
６２２  横板
６２ａ、６２ｂ、６２ｃ  ブレード群
６３  芯棒
６４  整流ブレード
６４１  被軸支部
６４２  主翼
６４３  副翼
【図１】
0003160457.tif 000003
【図２】
0003160457.tif 000004
【図３】
0003160457.tif 000005
【図４】
0003160457.tif 000006
【図５】
0003160457.tif 000007
【図６】
0003160457.tif 000008
【図７】
0003160457.tif 000009
【図８】
0003160457.tif 000010
【図９】
0003160457.tif 000011
【図１０】
0003160457.tif 000012
【図１１】
0003160457.tif 000013
【図１２】
0003160457.tif 000014
【図１３】
0003160457.tif 000015
【図１４】
0003160457.tif 000016
【図１５】
0003160457.tif 000017
【図１６】
0003160457.tif 000018
【図１７】
0003160457.tif 000019
【図１８】
0003160457.tif 000020